(57)【要約】【課題】パソコンに接続することでＵＳＢマスストレージとなってメモリアクセスなどの機能が制限されてしまう無線機などの電子機器において、不所望な制限を無くす。【解決手段】ステップＳ２でＵＳＢケーブルが接続され、ステップＳ４でそれがＵＳＢ充電器でなく、ステップＳ８でパソコンであると判定されると、ステップＳ１１で、ダイアログボックスなどで使用者に接続を行ってもよいかどうかを確認してから、ステップＳ１２で実際に接続する。したがって、自動的に接続されて、録音やロガー機能が停止してしまうような不具合を無くすことができる。また、そのような機能を、無線機側のみで、特別な部品を追加することなく、ソフトウェアの変更だけで、容易に実現することができる。【選択図】図４
2019174957.tif 000002
【特許請求の範囲】
【請求項１】
第１の電子機器と第２の電子機器とが相互に接続されることで、前記第１の電子機器における少なくとも一部の機能の前記第２の電子機器による支配が行われる電子機器間の接続に用いられ、前記第１の電子機器に設けられる接続装置において、
前記第２の電子機器の接続を検知する検知手段と、
前記検知手段で前記第２の電子機器の接続が検知されると、前記支配の受け入れの可否を使用者に確認する確認手段と、
前記確認手段で確認が行われると前記支配を許可する制御手段とを含むことを特徴とする電子機器の接続装置。
【請求項２】
前記制御手段は、前記検知手段で前記第２の電子機器の接続が検知されると、前記一部の機能についての支配を許可するものの、前記確認手段での確認が行われる迄は該一部の機能について実行不能であることを前記第２の電子機器へ送信しておき、前記確認が行われた時点で前記一部の機能について実行可能であることを前記第２の電子機器へ送信することを特徴とする請求項１記載の電子機器の接続装置。
【請求項３】
前記第１の電子機器には、外部メモリが着脱自在であり、前記一部の機能は前記外部メモリへのアクセス権であることを特徴とする請求項１または２記載の電子機器の接続装置。
【請求項４】
前記第１の電子機器には、該第１の電子機器内で前記外部メモリへのアクセスが発生している状態で、前記検知手段で前記第２の電子機器の接続が検知されると、アクセスが終了してから前記確認手段に確認を行わせる妨害禁止手段をさらに備えることを特徴とする請求項３記載の電子機器の接続装置。
【請求項５】
前記請求項１〜４の何れか１項に記載の接続装置を備えることを特徴とする電子機器。
【請求項６】
第１の電子機器と第２の電子機器とが相互に接続されることで、前記第１の電子機器における少なくとも一部の機能の前記第２の電子機器による支配が行われる電子機器間の接続方法において、前記第１の電子機器では、
前記第２の電子機器の接続を検知する検知ステップと、
前記検知ステップで前記第２の電子機器の接続が検知されると、前記支配の受け入れの可否を使用者に確認する確認ステップと、
前記確認ステップで確認が行われた場合に前記支配を許可する許可ステップとを行うことを特徴とする電子機器の接続方法。
【請求項７】
前記許可ステップは、
前記検知ステップで前記第２の電子機器の接続が検知された時点で、前記一部の機能についての支配を許可するものの、該一部の機能について実行不能であることを前記第２の電子機器へ送信する第１の許可ステップと、
前記確認ステップで前記支配の受け入れの確認が行われると、前記一部の機能についても実行可能であることを前記第２の電子機器へ送信する第２の許可ステップとを有することを特徴とする請求項６記載の電子機器の接続方法。
【発明の詳細な説明】
【技術分野】
【０００１】
本発明は、電子機器の接続時における連動のための装置および方法ならびにそれを用いる電子機器に関する。
【背景技術】
【０００２】
電子機器の小型化が進み、携帯可能で利便性の高い電子機器が多数登場している。たとえばスマートフォンや携帯音楽プレーヤなどである。一方で、パーソナルコンピュータなどの多機能で利便性の高い電子機器では、多様なインターフェイスを備え、前記の小型の電子機器と接続して使用されることで、更なる多機能化が図られている。そのような大小の電子機器を相互に接続する場合、一般的に、主従関係となることが多い。たとえば、前記スマートフォンや携帯音楽プレーヤなどの従となる第１の電子機器を、前記パーソナルコンピュータなどの主となる第２の電子機器に接続すると、パーソナルコンピュータ側から、スマートフォンや携帯音楽プレーヤの操作を行えるようになっている。接続には、ＵＳＢ（Universal Serial Bus（登録商標））端子が使用されることが多い。
【０００３】
具体的に前記ＵＳＢは、電源端子（VBUS端子）およびデータ端子（DATA(D+/D-)端子）を備え、第１の電子機器では、VBUS端子に所定電源電圧の５Ｖが検知されると、第２の電子機器に支配される（主従関係となる）ＵＳＢマスストレージ接続となり、自機側の操作を無効として、外部からのコマンドのみを受付けるようになっている。これは、主従関係が明確で無いと、たとえばメモリなどに両方の電子機器からのアクセスが同時に発生すると、データのクラッシュなどの不所望な自体を招いてしまうためである。
【０００４】
一方で、ＵＳＢでは、２．０版から、前記電源の供給も行われるようになり、独自の電源を持たない電子機器や、機器内蔵電池の消耗を抑えたいような電子機器との連携も可能になっている。そこで、ＵＳＢ端子を用いて、この電源供給に着目した情報処理装置が特許文献１で提案されている。
【０００５】
その特許文献１によれば、電源端子（VBUS端子）に前記５Ｖの電源電圧が検知され、さらにデータ端子（DATA(D+/D-)端子）にデバイスリクエスト信号と言うコマンドが来た時点で、自機のキー操作を無効としている。つまり、電源電圧が来て、コマンドが来るまでは独立動作し、コマンドが来ると、自動的にスレーブ動作に移っている（支配を受けるようになる）。そうすることで、前記コマンドが来なければ、そのまま独立操作を可能にして、ＵＳＢ端子をＡＣアダプタからの電源入力だけにも使用可能になっている。
【先行技術文献】
【特許文献】
【０００６】
【特許文献１】特許第３７５６８８２号公報
【発明の概要】
【発明が解決しようとする課題】
【０００７】
特許文献１は、ＵＳＢ端子にＡＣアダプタを接続可能にするもの、つまりＡＣアダプタによる電源入力端子を削減するものである。しかしながら、特許文献１では、通常通り、コマンドを発する電子機器が接続されると、強制的にスレーブ動作に移ってしまう（支配を受けるようになる）。そのため、たとえば第１の電子機器が無線機であり、その場合の特許請求の範囲における一部の機能の例である通信を録音していたり、各種ログの書込みや読出しを行っている状態で、第２の電子機器であるパーソナルコンピュータが接続されてしまうと、それらの動作（前記一部の機能）が不所望に停止してしまい、パーソナルコンピュータからの操作によってのみ、それらの動作（一部の機能）が可能になるという問題がある。具体的には、パーソナルコンピュータが接続されると、無線機の周波数等の表示は強制的に消えて、「マスストレージモード」の画面となり、無線機として動作しなくなる。また、録音やログも勝手に停止してしまう。
【０００８】
一方で、重要機能の実行中、たとえば録画中に、ＵＳＢなどで他の電子機器と接続を行っても、その機能の実行を継続し、接続を無視するような電子機器もあるが、この従来技術では、前記重要機能が続く限り、他の電子機器と連動を行えない。
【０００９】
本発明の目的は、電子機器の相互の接続によって、使用者の不所望に一部の機能が制限されてしまうことを防止することができる電子機器の接続装置および方法ならびにそれを用いる電子機器を提供することである。
【課題を解決するための手段】
【００１０】
本発明の電子機器の接続装置は、第１の電子機器と第２の電子機器とが相互に接続されることで、前記第１の電子機器における少なくとも一部の機能の前記第２の電子機器による支配が行われる電子機器間の接続に用いられ、前記第１の電子機器に設けられる接続装置において、前記第２の電子機器の接続を検知する検知手段と、前記検知手段で前記第２の電子機器の接続が検知されると、前記支配の受け入れの可否を使用者に確認する確認手段と、前記確認手段で確認が行われると前記支配を許可する制御手段とを含むことを特徴とする。
【００１１】
また、本発明の電子機器は前記の接続装置を備えることを特徴とする。
【００１２】
さらにまた、本発明の電子機器の接続方法は、第１の電子機器と第２の電子機器とが相互に接続されることで、前記第１の電子機器における少なくとも一部の機能の前記第２の電子機器による支配が行われる電子機器間の接続方法において、前記第１の電子機器では、前記第２の電子機器の接続を検知する検知ステップと、前記検知ステップで前記第２の電子機器の接続が検知されると、前記支配の受け入れの可否を使用者に確認する確認ステップと、前記確認ステップで確認が行われた場合に前記支配を許可する許可ステップとを行うことを特徴とする。
【００１３】
上記の構成によれば、スマートフォンなどのたとえば小型の第１の電子機器を、パーソナルコンピュータなどのたとえば高機能な第２の電子機器に接続して、たとえばマスストレージなどの連動した動作を行わせるにあたって、メモリアクセスの競合によるデータクラッシュなどの不所望な事態を防止するために、前記メモリアクセスなどの第１の電子機器における少なくとも一部の機能について、第２の電子機器によって支配が行われる（主従関係となる）ようにすることがある。
【００１４】
そのような電子機器の接続を実現する接続装置および接続方法において、本発明では、第１の電子機器に、検知ステップにおいて第２の電子機器の接続を検知する検知手段と、前記検知手段で第２の電子機器の接続が検知されると、確認ステップにおいて前記支配の受け入れの可否を使用者に確認する確認手段と、確認が行われた場合に、許可ステップにおいて前記支配を許可する制御手段とを設ける。
【００１５】
したがって、電子機器の相互の接続によって、第１の電子機器における少なくとも一部の機能について、マスストレージなどの第２の電子機器による支配（主従関係）を自動的に認めるのではなく、使用者の確認を行ってから認めるので、不所望に前記一部の機能が制限されてしまうことを防止することができる。また、そのような機能を、第１の電子機器側のみで、しかも特別な部品を追加することなく、ソフトウェアの変更だけで、容易に実現することができる。
【００１６】
また、本発明の電子機器の接続装置では、前記制御手段は、前記検知手段で前記第２の電子機器の接続が検知されると、前記一部の機能についての支配を許可するものの、前記確認手段での確認が行われる迄は該一部の機能について実行不能であることを前記第２の電子機器へ送信しておき、前記確認が行われた時点で前記一部の機能について実行可能であることを前記第２の電子機器へ送信することを特徴とする。
【００１７】
さらにまた、本発明の電子機器の接続方法では、前記許可ステップは、前記検知ステップで前記第２の電子機器の接続が検知された時点で、前記一部の機能についての支配を許可するものの、該一部の機能について実行不能であることを前記第２の電子機器へ送信する第１の許可ステップと、前記確認ステップで前記支配の受け入れの確認が行われると、前記一部の機能についても実行可能であることを前記第２の電子機器へ送信する第２の許可ステップとを有することを特徴とする。
【００１８】
上記の構成によれば、ＵＳＢ（登録商標）などの電子機器の接続の規格では、たとえば接続要求のコマンドに対して応答しない場合には、一旦接続を切離し、再接続しないと、前記接続要求のコマンドが発行されないようなケースがある。そこで、制御手段は、接続に伴い、第１の許可ステップで、一応、前記一部の機能については支配を許可する返信を行うものの、該一部の機能については、実行不能であること、たとえばメモリが外部メモリの場合に装着されていないと言うような虚偽の返信を行って、実質的に接続を保留状態にしておく。そして、確認ステップで前記支配の受け入れの確認が行われると、制御手段は、第２の許可ステップにおいて、該一部の機能の保留状態を解除して、実行可能であることを前記第２の電子機器へ返信する。
【００１９】
したがって、実行不能の機能に関しては、不必要なアクセス（接続要求）は発生せず、前記メモリアクセスの競合によるデータクラッシュなどの不所望な事態を回避しつつ、接続は維持したままとし、実際に機能を有効にする（支配を受け入れる）場合に、使用者が接続し直す必要も無く、利便性を向上することができる。
【００２０】
また、本発明の電子機器の接続装置では、前記第１の電子機器には、外部メモリが着脱自在であり、前記一部の機能は前記外部メモリへのアクセス権であることを特徴とする。
【００２１】
上記の構成によれば、外部メモリは、所定の端子を介してアクセス可能となるので、そのアクセス権の可否を適切に判断することで、データクラッシュなどの不所望な事態を防止することができる。
【００２２】
さらにまた、本発明の電子機器の接続装置では、前記第１の電子機器には、該第１の電子機器内で前記外部メモリへのアクセスが発生している状態で、前記検知手段で前記第２の電子機器の接続が検知されると、アクセスが終了してから前記確認手段に確認を行わせる妨害禁止手段をさらに備えることを特徴とする。
【００２３】
上記の構成によれば、妨害禁止手段によって、第１の電子機器が自機内で外部メモリへのアクセスが発生している状態で、第２の電子機器のアクセスの割り込みを確実に防止することができる。
【発明の効果】
【００２４】
本発明の電子機器の接続装置および方法ならびにそれを用いる電子機器は、以上のように、相互に接続されることで第１の電子機器における少なくとも一部の機能について、マスストレージなどの第２の電子機器によって支配されるようになる電子機器同士を接続するにあたって、第１の電子機器には、第２の電子機器の接続を検知する検知手段と、その検知手段で第２の電子機器の接続が検知されると、前記支配の受け入れの可否を使用者に確認し、確認が行われた場合に前記支配を許可する制御手段とを設ける。
【００２５】
それゆえ、前記支配（主従関係）を自動的に認めるのではなく、使用者の確認を行ってから認めるので、不所望に前記一部の機能が制限されてしまうことを防止することができる。また、そのような機能を、第１の電子機器側のみで、しかも特別な部品を追加することなく、ソフトウェアの変更だけで、容易に実現することができる。
【図面の簡単な説明】
【００２６】
【図１】本発明の実施の一形態に係る電子機器システムの構成を示す図である。
【図２】前記電子機器システムを構成する無線機を拡大して示す斜視図である。
【図３】前記無線機の電気的構成を示すブロック図である。
【図４】前記無線機のＵＳＢ端子への接続時の動作を説明するためのフローチャートである。
【図５】本発明の実施の他の形態に係る電子機器システムにおける無線機のＵＳＢ端子への接続時の動作を説明するためのフローチャートである。
【発明を実施するための形態】
【００２７】
（実施の形態１）
図１は、本発明の実施の一形態に係る電子機器システムの構成を示す図である。この電子機器システムは、第１の電子機器であるハンディタイプの無線機１と、第２の電子機器であるパーソナルコンピュータ２と、それらを接続するためのＵＳＢケーブル３と、ＵＳＢ充電器４とを備えて構成される。無線機１には、ＳＤカード（登録商標）５が挿着可能である。パーソナルコンピュータ２には、無線機１を接続しての連動動作が可能になる専用のソフトウェアなどがインストールされている。無線機１は、ハンディタイプに限らず、据置型や車載型などでもよい。本発明における第１の電子機器としては、無線機１以外にも、スマートフォンや携帯音楽プレーヤなどであってもよい。
【００２８】
図２は、無線機１を拡大して示す斜視図である。図１および図２を参照して、スティック状の無線機１の天面１０には、アンテナ１００（図３図示）を連結するためのアンテナコネクタ１０１、ダイヤルつまみ１０２，１０３、およびストラップ通し孔１０４などが設けられている。本無線機１は、デュアルバンド対応で、シングルバンド時に、ダイヤルつまみ１０２は周波数やメモリチャネルを設定し、ダイヤルつまみ１０３はボリウムを設定する。デュアルバンド時は、ダイヤルつまみ１０２は後述する表示部１１１の下側表示のバンド周波数やメモリチャネルを設定し、ダイヤルつまみ１０３は上側表示のバンド周波数やメモリチャネルを設定する。
【００２９】
無線機１の正面１１には、前記表示部１１１、スピーカ１１２、マイクロフォン１１３および各種キー１１４などが設けられている。無線機１の左側面１２には、スケルチキー１２１や、音量アップダウンキー１２２などが設けられている。無線機１の底面１４には、電源スタンド装着時の端子などが設けられている。無線機１の背面１５の下部には、電池蓋が設けられており、開けて内部には、充電電池や乾電池などの電池１５１（図３図示）が収納される。無線機１は、底面１４の端子から給電を行うスタンドに接続されてもよく、またＵＳＢ充電器４に限らず、車のシガライターソケットに嵌着される車載アダプタが用いられてもよい。
【００３０】
無線機１の右側面１３には、イヤフォンジャック１３１と、ＵＳＢ端子１３２と、ＳＤカードスロット１３３とが設けられている。図１の例では、イヤフォンジャック１３１は防水カバーを被せた状態を示し、ＵＳＢ端子１３２およびＳＤカードスロット１３３は、システムの接続のため、防水カバーを外した状態を示している。両側面１２，１３の下部には、滑り止めのグリップ１２７，１３７が設けられている。
【００３１】
図３は、無線機１の電気的構成を示すブロック図である。アンテナ１００で受信された信号は、送受信切換えスイッチ１６１を介して高周波アンプ１６２に与えられ、増幅された後、周波数変換器１６３から復調回路１６４に与えられて、デジタルデータからアナログ音声信号に復調される。音声信号は、低周波アンプ１６５で増幅されて、前記スピーカ１１２から出力される。スピーカ１１２には前記のイヤフォンジャック１３１が並列となっており、このイヤフォンジャック１３１にイヤフォンのプラグが差込まれているか否かで、スイッチ１３６によって、音声の出力先が切換えられる。また、マイクロフォン１１３で集音された音声信号は、低周波アンプ１６６で増幅されて、変調回路１６７に入力され、デジタル高周波の信号に変換される。その高周波の信号は、周波数変換器１６８で送信周波数の信号に変換され、高周波アンプ１６９で増幅された後、前記送受信切換えスイッチ１６１を介してアンテナ１００から送信される。
【００３２】
送受信のバンドや周波数およびアンプのゲインなどは、ＣＰＵ１７１によって制御される。なお、無線機１ではデジタルデータも送受信可能であるが、復調されたデータおよび変調されるデータは、ＣＰＵ１７１と、復調回路１６４および変調回路１６７との間でやり取りされる。ＣＰＵ１７１には、データ格納用のＲＡＭ１７２およびプログラムやログを記憶するフラッシュメモリ１７３がバスラインを介して接続される。ＣＰＵ１７１にはまた、前記ＳＤカードスロット１３３に嵌着されたＳＤカード５が、バスラインを介して、書込み／読出し自在に接続される。
【００３３】
前記キー１１４、スケルチキー１２１、音量アップダウンキー１２２などから成る操作スイッチ１７４からの操作は、ＣＰＵ１７１に入力され、その操作結果による選択バンドや周波数、ボリウムレベルなどの各種情報は、ＣＰＵ１７１から前記表示部１１１に表示される。
【００３４】
この無線機１の電源は、前記電池１５１から安定化電源１７５に入力されて、予め定める５Ｖに安定化されて、各部に供給される。一方、前記ＵＳＢ端子１３２は、電源端子（VBUS端子）Ｔ１，Ｔ４と、データ端子（DATA(D+/D-)端子）Ｔ２，Ｔ３とを備えて構成される。ＣＰＵ１７１とパーソナルコンピュータ２との間のデータのやり取りは、このデータ端子Ｔ２，Ｔ３およびＵＳＢコントローラ１３５を介して行なわれる。また、電源端子Ｔ１，Ｔ４に電源入力があると、安定化電源１７５は、電池１５１に優先して、この電源端子Ｔ１，Ｔ４からの入力電圧を安定化して、各部へ出力し、こうして電池１５１の消耗を抑えるようになっている。後述するようにして、電源端子Ｔ１，Ｔ４へは、ＵＳＢ充電器４からの電源供給も可能となっている。
【００３５】
上述のように構成される電子機器システムにおいて、本実施形態は、無線機１のＵＳＢ端子１３２に、ＵＳＢケーブル３によって、パーソナルコンピュータ２を接続すると、その機能の少なくとも一部が支配される（主従関係となる）ようになっていることを前提とする。詳しくは、無線機１は、パーソナルコンピュータ２にＵＳＢマスストレージ接続が可能であり、また該無線機１にはＳＤカード５が装着可能である。そして、ＳＤカード５が装着されており、ＵＳＢケーブル３が接続されてマスストレージ接続が行われると、ＣＰＵ１７１は、パーソナルコンピュータ２による支配を受け入れ、自身でのＳＤカード５へのアクセスを禁止し、パーソナルコンピュータ２のアクセスのみを可能とする構成を前提としている。つまり、ＳＤカード５を備えた無線機１が、パーソナルコンピュータ２にとって、ＵＳＢメモリと同じ扱いになる。そうすることで、メモリアクセスの競合によるデータクラッシュなどの不所望な事態が防止されている。つまり、ＳＤカード５には、無線通信の録音やログの記録を蓄積可能であるが、無線機１が支配を受けると、その録音や記録再生動作が禁止され、パーソナルコンピュータ２からのデータの書込みや読出しが可能となることを前提とする。また、本システムでは、パーソナルコンピュータ２を活用し、煩雑な設定を該パーソナルコンピュータ２上で行い、無線機１に移植するクローニングなどの機能を実現することもできるようになっている。
【００３６】
その前提の上で、注目すべきは、本実施形態では、無線機１のＵＳＢ端子１３２にパーソナルコンピュータ２が接続されると、無線機１が、パーソナルコンピュータ２による支配の受け入れの可否、つまりＵＳＢマスストレージ接続を行っても良いか否かを使用者に確認を行うことである。その確認は、ＣＰＵ１７１が、たとえば表示部１１１に問い合わせのダイアログボックスを出し、使用者が操作スイッチ１７４に操作を行うことで実現することができる。
【００３７】
図４は、ＵＳＢ端子１３２に接続が行われた場合のＣＰＵ１７１の動作を説明するためのフローチャートである。ステップＳ１で送受信や各種設定など、該無線機１の動作中に、検知ステップであるステップＳ２において、安定化電源１７５によって、電源端子（VBUS端子）Ｔ１，Ｔ４間に５Ｖの電圧が検出される、すなわちＵＳＢケーブル３を介して何らかの機器が接続されたことが検知されると、ステップＳ３に移る。ステップＳ３では、データ端子（DATA(D+/D-)端子）Ｔ２，Ｔ３の電圧や電流を測定し、ステップＳ４では、その測定結果から、接続されているのがＵＳＢ充電器４であるか否か、さらに接続されているのがＵＳＢ充電器４である場合は、どのようなＵＳＢ充電器であるのかを判断する。ＵＳＢ充電器４であれば、ステップＳ５で安定化電源１７５を切替え、外部電源入力とするとともに、電池１５１が充電電池である場合は充電を行う。
【００３８】
ステップＳ４において、接続されているのがＵＳＢ充電器４で無い場合は、パーソナルコンピュータ２である可能性が高いが、ＵＳＢ規格外の充電器、つまり該無線機１とのステップＳ３，Ｓ４でのデータ端子Ｔ２，Ｔ３の測定に適さない充電器の可能性もある。たとえば、電源端子Ｔ１，Ｔ４に電圧が出るだけの充電器である。そのような場合も、ステップＳ４でパーソナルコンピュータ２と判定されてしまうが、それらの更なる判別は、次のステップＳ６，Ｓ７で行う。
【００３９】
ステップＳ６では、データ端子Ｔ２，Ｔ３のバスラインを有効(プルアップＯＮ)とすることで、パーソナルコンピュータ２側から見て、何らかのＵＳＢ機器が接続されたことが検知され、それに応答してパーソナルコンピュータ２は、ＵＳＢ機器（無線機１）に対して、デバイススクリプタの転送を要求する。そこで、ステップＳ７で、この転送要求が、前記プルアップから所定時間内に来たかどうかが判断され、前記所定時間内に来ればステップＳ８で、接続されたのはパーソナルコンピュータ２と判定する。一方、パーソナルコンピュータ２から前記所定時間内に転送要求が来なければ、ＣＰＵ１７１は、接続されたのは前記規格外の充電器と判定して、処理を終了する。
【００４０】
ステップＳ８でパーソナルコンピュータ２と判定した後は、ＣＰＵ１７１は、許可ステップであるステップＳ１０において、表示部１１１に、たとえば「接続をしても良いですか？」とのダイアログボックスを表示し、使用者に確認を行う。ステップＳ１１では、使用者が操作スイッチ１７４から、たとえば「はい」を選択し、パーソナルコンピュータ２による支配を許可、つまりＵＳＢマスストレージ接続を許可すると、ステップＳ１２で、ＣＰＵ１７１は、マスストレージデバイスであることを示すデバイススクリプタの転送を行い、接続が成立し、ＳＤカード５へのアクセス権を与える。ステップＳ１１で操作スイッチ１７４が操作されない場合は、ステップＳ１３で、回答（接続）を保留したままとし、ステップＳ１０に戻る。したがって、前述のステップＳ４では、接続先が正規のＵＳＢ充電器４と判断されれば、このステップＳ１０での使用者への接続確認のダイアログは出なくなる。
【００４１】
ステップＳ１２からは、ＵＳＢマスストレージ接続の継続が判定され、継続されている間は、このステップＳ１２で支配を受け続け（パーソナルコンピュータ２から操作が行われ）、ＵＳＢマスストレージ接続が解除、つまりＵＳＢケーブル３が外れるか、パーソナルコンピュータ２の電源がＯＦＦされると、ステップＳ１５で独立動作に復帰する。
【００４２】
したがって、ＣＰＵ１７１は制御手段を構成し、表示部１１１および操作スイッチ１７３は確認手段を構成し、検知手段である前記安定化電源１７５と、ＵＳＢ端子１３２とを含めて、本発明の実施の一形態に係る接続装置が構成される。
【００４３】
このように本実施形態の電子機器システムでは、電子機器の相互の接続によって、第１の電子機器（無線機１）における少なくとも一部の機能（ＳＤカード５へのアクセス）について、第２の電子機器（パーソナルコンピュータ２）による支配（主従関係）を自動的に認めるのではなく、使用者の確認を行ってから認めるので、不所望に前記一部の機能が制限されてしまうことを防止することができる。また、そのような機能を、第１の電子機器（無線機１）側のみで、しかも特別な部品を追加することなく、図４のようなソフトウェアの変更だけで、容易に実現することができる。さらにまた、取扱い説明書に格別記載が無くても、無線機１自体で使用者への説明を行うこともできる。
【００４４】
そして、このような支配関係のある接続が行われる電子機器において、第１の電子機器には、本実施形態のような無線機１が好ましい。これは、無線機の場合、不所望に、前記一部の機能であるＳＤカード５へのアクセスが停止してしまうと、録音データやログの消失など、大きな影響を生じるためである。また、第２の電子機器には、本実施形態のようなパーソナルコンピュータ２が好ましい。これは、パーソナルコンピュータは、多機能であり、接続される第１の電子機器には、パーソナルコンピュータの編集機能など、多彩で高速な処理機能を活用して、付加価値の向上を図ることができるためである。さらに、パーソナルコンピュータは、大きな画面やキーボードなど、高機能なユーザインターフェイスを備えており、接続される第１の電子機器の操作性を向上することもできるためである。
【００４５】
また、第２の電子機器（パーソナルコンピュータ２）によって支配される第１の電子機器（無線機１）における前記一部の機能としては、着脱自在の外部メモリ（ＳＤカード５）へのアクセス権であることが好ましい。これは、外部メモリは、所定の端子（Ｔ２，Ｔ３）を介してアクセス可能となるので、そのアクセス権の可否を適切に判断することで、データクラッシュなどの不所望な事態を防止することができるためである。
【００４６】
また、そのアクセスは、無線通話の録音によるものであることが好ましい。これは、無線通話の録音は、中断の影響が大きく、不所望な中断を防止できる本発明が好適であるからである。さらにまた、外部メモリには、ＳＤカード５が好ましい。これは、ＳＤカード５は汎用で、電子機器（無線機１）に実装し易く、したがって、アクセス権を適切に制御する本発明の普及に好適であるためである。
【００４７】
なお、本実施形態は、無線機１のＵＳＢ端子１３２にパーソナルコンピュータ２が接続されて、ＵＳＢマスストレージでの動作を特徴とするもので、無線機１の構成、したがって電子機器の構成例は、上述に限らず、任意の構成が用いられればよい。また、電子機器の接続は、たとえばＩＥＥＥ１３９４などの他のインターフェイスであってもよい。しかしながら、上述のように汎用のＵＳＢに対して、本実施形態は、ＵＳＢマスストレージ接続の際のアクセス権を適切に制御して、データのクラッシュなどの不所望な事態を確実に防止することができるので、好適である。
（実施の形態２）
図５は、本発明の実施の他の形態に係る電子機器システムにおける無線機のＵＳＢマスストレージ接続時の動作を説明するためのフローチャートである。本実施形態も上述の無線機１およびパーソナルコンピュータ２を用いることができ、図４のＣＰＵ１７１の動作が異なるだけである。
【００４８】
注目すべきは、本実施形態のシステムでは、ステップＳ２でＵＳＢケーブル３が接続されると、ステップＳ１１で使用者が許可を行うまで、第１の許可ステップであるステップ１３ａにおいて、少なくとも接続を許可するものの、パーソナルコンピュータ２へは、ＳＤカードスロット１３３にＳＤカード５が装着されていないとの虚偽の申告、つまりマスストレージデバイスであることを示すデバイススクリプタ以外のデバイススクリプタをパーソナルコンピュータ２に転送し、実質的にＳＤカード５へのアクセスを保留させることである。したがって、ステップＳ１１で使用者が許可を行うと、第２の許可ステップであるステップＳ１２において、前記少なくとも一部の機能であるＵＳＢマスストレージ接続を実行可能、具体的にはＳＤカードスロット１３３に正しくＳＤカード５が装着されていることにして、アクセス可能とする。
【００４９】
これは、前記ＵＳＢマスストレージ接続では、パーソナルコンピュータ２からデータ端子（DATA(D+/D-)端子）Ｔ２，Ｔ３にデバイスリクエスト信号（接続要求のコマンド）が来て、所定時間それに応答しない場合には、パーソナルコンピュータ２は、「不明なデバイス」と判定し、一旦、前記「不明なデバイス」と判定されてしまったら、パーソナルコンピュータ２はリトライしない（デバイスリクエスト信号を発行しない）ので、接続を切離し、再接続する必要があるためである。したがって、ＣＰＵ１７１が、ステップ１３ａで、虚偽の返信を行って、実質的に保留状態にしておくことで、実行不能の機能（ＵＳＢマスストレージ接続）に関しては、不必要なアクセス（接続要求）は発生せず、該無線機１とパーソナルコンピュータ２とのメモリアクセスの競合によるデータクラッシュなどの不所望な事態を回避しつつ、接続は維持したままとし、実際に機能を有効にする（ＵＳＢマスストレージ接続する）場合に、使用者が接続し直す必要も無く、利便性を向上することができる。
【００５０】
また、本実施形態では、ステップＳ８でパーソナルコンピュータ２の接続が判定されると、ステップＳ９で、既に自機でＳＤカード５へのアクセスが発生しているか否かが判断され、アクセスが発生していればこのステップＳ９で終了まで待機させ、終了してからステップＳ１０の接続確認に移る。したがって、ＣＰＵ１７１は、妨害禁止手段を構成し、その妨害禁止によって、アクセスの割り込みを確実に防止することができ、たとえば録音とログを継続して動作することができる。
【符号の説明】
【００５１】
１    無線機
１００  アンテナ
１０２，１０３    ダイヤルつまみ
１１１  表示部
１１２  スピーカ
１１３  マイクロフォン
１１４，１２１，１２２    キー
１３１  イヤフォンジャック
１３２  ＵＳＢ端子
１３３  ＳＤカードスロット
１３５  ＵＳＢコントローラ
１３６  スイッチ
１５１  電池
１６１  送受信切換えスイッチ
１６２，１６９    高周波アンプ
１６３，１６８    周波数変換器
１６４  復調回路
１６５，１６６    低周波アンプ
１６７  変調回路
１７１  ＣＰＵ
１７２  ＲＡＭ
１７３  操作スイッチ
１７５  安定化電源
２    パーソナルコンピュータ
３    ＵＳＢケーブル
４    ＵＳＢ充電器
５    ＳＤカード
Ｔ１，Ｔ４    電源端子（VBUS端子）
Ｔ２，Ｔ３    データ端子（DATA(D+/D-)端子）
【図１】
2019174957.tif 000003
【図２】
2019174957.tif 000004
【図３】
2019174957.tif 000005
【図４】
2019174957.tif 000006
【図５】
2019174957.tif 000007